(57)【要約】      （修正有）【課題】男性用水洗トイレとして、体毛、痰、吸殻、尿石等の異物を漉し取る形で集めながら、長時間にわたって排水の詰まりを防止でき、集めた異物を清掃時に簡単に取り出して除去し得るものを提供する。【解決手段】便器面１０底部の排水口１１に、多孔状のストレーナー２と、ストレーナー２上に載置する目皿３とを設置する。ストレーナー２は、排水口１１内に嵌入する凹陥部２１の上周縁から便器面１０底部上へ張出する展開部２２を備える。ストレーナー２の展開部２２の外周縁と目皿３の外周縁との間に流出入間隙、ストレーナー２の展開部２２の下面側と便器面１０底部との間に流出間隙ｇ２、ストレーナー２の凹陥部２１の外周面と排水口１１の内周面との間に流出間隙ｇ３、展開部２２の外周縁と便器面１０との間に溢流間隙ｇ４を、それぞれ有する。【選択図】図３
2014070375.tif 000002
【特許請求の範囲】
【請求項１】
便器面底部の排水口に、多孔状のストレーナーと、該ストレーナー上に載置する目皿とが設置され、
前記ストレーナーが、前記排水口内に嵌入する凹陥部と、該凹陥部の上周縁から便器面底部上へ張出する展開部とを備え、
該ストレーナーの前記展開部の外周縁と前記目皿の外周縁との間に流出入間隙を、該ストレーナーの前記展開部の下面側と前記便器面底部との間、ならびに該ストレーナーの前記凹陥部の外周面と前記排水口の内周面との間に流出間隙を、該展開部の外周縁と便器面との間に溢流間隙を、それぞれ有することを特徴とする男性用水洗トイレ。
【請求項２】
前記ストレーナーの展開部の外周部が立ち上げ縁部を形成してなる請求項１に記載の男性用水洗トイレ。
【請求項３】
前記ストレーナーの凹陥部の外周側と展開部の下面側とに、前記流出間隙を確保するための凸部が形成されてなる請求項１又は２に記載の男性用水洗トイレ。
【請求項４】
前記目皿の中央に開口部を有してなる請求項１〜３のいずれかに記載の男性用水洗トイレ。
【請求項５】
便器面を流下した洗浄水を回収して便器面洗浄に再使用する洗浄水循環機構を備えてなる請求項１〜４のいずれかに記載の男性用水洗トイレ。
【発明の詳細な説明】
【技術分野】
【０００１】
本発明は、男性の小水専用に使用される男性用水洗トイレに関する。
【背景技術】
【０００２】
男性用水洗トイレでは、便器面を清浄に保つために、排尿後の使用者の押しボタン操作、光学センサ等の人体検知手段による自動操作、タイマー設定による一定時間置きの自動操作等により、便器面の上部に設けた洗浄ノズルから洗浄水を流下させるようになっている。しかるに、従来の男性用水洗トイレにおいては、一般的に便器面底部の排水口に目皿が嵌装されており、小水及び洗浄水は該目皿の周縁と便器面との間で形成される流下間隙、或いは該流下間隙と目皿自体に設けた通水孔とから排水口へ流入するが、その流入部が概して狭いことから、使用者の体毛（陰毛）、痰、煙草の吸殻、尿石等の異物で詰まり易く、その詰まりで排水不能になって便器に汚水が溢れ、使用禁止になる事態が往々にして発生している。
【０００３】
また、近年の男性用水洗トイレとして、洗浄水の消費量を減らして大幅な節水を可能にすると共に、除菌、消臭、防汚等の目的で洗浄水に添加された薬剤成分が効力を残したまま廃棄されるという無駄を減らすために、自動的に使用後の洗浄水を回収して繰り返し再使用する循環式のものが普及しつつある。この循環式の男性用水洗トイレでは、人体検知手段によって利用者の存在を検知し、利用者の小水を排水管へ導く一方、利用者が離れてから切換弁によって排水流路を循環洗浄水槽側へ切換え、便器面を流下した洗浄水を循環洗浄水槽内へ流入させて回収し、この回収した洗浄水を循環ポンプ及び吐出ポンプを介して洗浄ノズルに供給するように構成されている（例えば、特許文献１）。ところが、このような男性用循環式水洗トイレの場合、洗浄水に混入した前記異物によって洗浄水循環経路の配管の詰まりやポンプ類の作動不良等を生起し易い。
【先行技術文献】
【特許文献】
【０００４】
【特許文献１】特許第３８５３８２５号公報
【発明の概要】
【発明が解決しようとする課題】
【０００５】
男性用水洗トイレにおける排水の詰まりを抑える手段として、単純には目皿周縁の流下間隙を拡げて異物が排水口へ流れ込み易くすることが考えられるが、その場合には排水トラップを含む下流側の排水管内での異物の詰まりで却って重篤な事態を招く懸念がある上、特に循環式トイレでは回収される洗浄水への異物の混入増加で洗浄水循環部でのトラブルが頻発することになる。従って、便器内の異物は何らかの形で集めておいて清掃の際に除去することが望ましいが、例えば目皿の代わりにストレーナーを排水口に嵌装しても、使用頻度の高い男性用水洗トイレでは短時間で該ストレーナーが目詰まりして排水不能に陥ってしまう。
【０００６】
本発明は、上述の事情に鑑みて、男性用水洗トイレとして、体毛、痰、吸殻、尿石等の異物を漉し取る形で集めながら、長時間にわたって排水の詰まりを防止でき、集めた異物を清掃時に簡単に取り出して除去し得るものを提供することを目的としている。
【課題を解決するための手段】
【０００７】
上記目的を達成するための手段を図面の参照符号を付して示せば、請求項１の発明に係る男性用水洗トイレは、便器面１０底部の排水口１１に、多孔状のストレーナー２と、該ストレーナー２上に載置する目皿３とが設置され、ストレーナー２が、排水口１１内に嵌入する凹陥部２１と、該凹陥部２１の上周縁から便器面１０底部上へ張出する展開部２２とを備え、該ストレーナー２の展開部２２の外周縁と目皿３の外周縁との間に流出入間隙ｇ１を、該ストレーナー２の展開部２２の下面側と便器面１０底部との間、ならびに該ストレーナー２の凹陥部２１の外周面と排水口１１の内周面との間に流出間隙ｇ２，ｇ３を、該展開部２２の外周縁と便器面１０との間に溢流間隙ｇ４を、それぞれ有することを特徴としている。
【０００８】
請求項２の発明は、上記請求項１の男性用水洗トイレにおいて、ストレーナー２の展開部２２の外周部が立ち上げ縁部２２ａを形成してなる構成としている。
【０００９】
請求項３の発明は、上記請求項１又は２の男性用水洗トイレにおいて、ストレーナー２の凹陥部２１の外周側と展開部２２の下面側とに、流出間隙ｇ２，ｇ３を確保するための凸部２３，２４が形成されてなる構成としている。
【００１０】
請求項４の発明は、上記請求項１〜３の何れかの男性用水洗トイレにおいて、目皿３の中央に開口部を有する構成としている。
【００１１】
請求項５の発明は、上記請求項１〜４のいずれかの男性用水洗トイレにおいて、便器面１０を流下した洗浄水Ｗを回収して便器面洗浄に再使用する洗浄水循環機構Ｓを備えてなる構成としている。
【発明の効果】
【００１２】
次に、本発明の効果について図面の参照符号を付して示せば、請求項１の発明に係る男性用水洗トイレでは、便器面１０を流下した小水Ｕ及び洗浄水Ｗは、ストレーナー２の展開部２２の外周縁と目皿３の外周縁との間の流出入間隙ｇ１から該ストレーナー２上へ流入することにより、混入していた体毛、痰、吸殻、尿石等の異物を該ストレーナー２に漉し取られ、液体だけが該ストレーナー２から流出し、流出間隙ｇ２，ｇ３を通って排水口１１より流下して排出される。しかして、ストレーナー２は、排水口１１内に嵌入する凹陥部２１の上周縁から便器面１０底部上へ張出した展開部２２により、広い漉し取り面積を有するから、全体が目詰まりするまでに大量の異物を捕獲できる上、全体が目詰まりして漉し取り不能になることがあっても、流入する小水Ｕ及び洗浄水Ｗを流出入間隙ｇ１から外側の溢流間隙ｇ４へオーバーフローさせて排水口１１より排出できる。従って、この男性用水洗トイレにおいては、使用頻度が高い場合でも、長時間にわたって排水の詰まりを防止でき、ストレーナー２に集積した異物を例えば１日１回程度の割合で除去するだけで済む上、その除去作業も清掃時にストレーナー２ごと取り出して簡単に行うことができる。
【００１３】
請求項２の発明によれば、ストレーナー２の展開部２２の外周部が立ち上げ縁部２２ａをなすから、該ストレーナー２による異物の捕獲量が著しく増大し、より長時間にわたって排水の詰まりを防止できる。
【００１４】
請求項３の発明によれば、ストレーナー２は、凹陥部２１の外周側と展開部２２の下面側とに凸部２３，２４を有することにより、凹陥部２１を排水口１１に嵌入するだけで流出間隙ｇ２，ｇ３が確保される。
【００１５】
請求項４の発明によれば、目皿３の中央に開口部３１を有するから、使用者が心理的に該開口部３１へ向けて放尿することが多くなり、これによって便器外への尿滴の跳ね返りが少なくなる。
【００１６】
請求項５の発明によれば、洗浄水循環機構Ｓを備える男性用水洗トイレにおいて、排水口１１に嵌装したストレーナー２によって異物を効率よく大量に捕獲できるから、洗浄水循環部での異物混入に起因したトラブルが抑止される。
【図面の簡単な説明】
【００１７】
【図１】本発明の一実施形態に係る男性用水洗トイレの概略縦断側面図である。
【図２】同男性用水洗トイレに使用するストレーナーを示し、（ａ）は平面図、（ｂ）は正面図、（ｃ）は（ａ）のＸ−Ｘ線の断面矢視図である。
【図３】便器の排水口に嵌装したストレーナーと分離した目皿を示す要部の縦断側面図である。
【図４】同男性用水洗トイレの洗浄水循環機構の流路構成を例示する模式図である。
【発明を実施するための形態】
【００１８】
以下に、本発明の一実施形態に係る男性用水洗トイレについて、図面を参照して具体的に説明する。なお、本発明は該実施形態の構成に限定されるものではない。
【００１９】
図１に示すように、この男性用水洗トイレは、便器本体１の前面側に構成される凹形の便器面１０の底部に排水口１１を備え、この排水口１１に合成樹脂成形物からなる多孔状のストレーナー２が嵌装されると共に、該ストレーナー２上に同じく合成樹脂成形物からなる目皿３が載置されている。そして、便器本体１の前面頂部には利用者の存在を検知するための光学センサ等よりなる人体検知手段５が設けられ、便器面１０の上部には洗浄水を便器面１０に向けて吐出する洗浄ノズル６が取り付けられており、便器本体１の内側上部には後述する洗浄水循環機構を司る制御装置Ｃが設置されている。一方、排水口１１の直下には流路分岐管７が接続され、更に該流路分岐管７の下側には下水道に繋がるトラップ１２ａ付きの排水管１２が接続されている。また、流路分岐管７の外側には、該流路分岐管７内に配置する流路切換用の弁体を駆動させる切換弁ユニット４が取り付けられている。なお、図１では省略しているが、便器本体１の内部には洗浄水循環機構を構成する配管、タンク、弁、ポンプ等が配設されている。
【００２０】
ストレーナー２は、図２（ａ）〜（ｃ）に示すように、円筒状の凹陥部２１と、その上周縁から外側へ張出した円形の展開部２２とからなる高杯形をなし、その全体に表裏に透通する多数の通水孔２０を有しており、凹陥部２１の内側中央には棒状の把手２５が立設され、また該展開部２２の外周部が斜め外側へ傾斜した立ち上げ縁部２２ａを形成している。そして、凹陥部２１の外周面には上下方向に沿う複数本（図では４本）のリブ状の凸部２３が周方向に等配して形成されると共に、該凹陥部２１及び展開部２２の下面外周側には各々複数の小突起状の凸部２４が周方向に等配して形成されている。
【００２１】
図３に示すように、便器本体１の排水口１１は便器面１０の底部の孔１０ａに上方から嵌装した円筒状の排水アダプター１３にて構成されている。この排水アダプター１３は、上端フランジ部１３ａを孔１０ａの周縁に係止した状態で、外周に設けた雄ねじ部１３ｂにナット１４を下方から螺合緊締することにより、該孔１０ａに固着されている。また、流路分岐管７は、下部側が排水管１２に繋がる垂下管路７１と後述する洗浄水貯留タンクＴ１（図４参照）へ回収洗浄水を導く側方管路７２とに分岐しており、上部側のカップ状をなす入口管部７０をナット１４に下方から外嵌した状態で、便器本体１内に設けた支持フレーム１５に、上端フランジ部７ａを掛止して支承されている。なお、図示を省略しているが、排水アダプター１３の上端フランジ部１３ａと便器面１０との間、流路分岐管７の入口管部７０とナット１４との間は、それぞれシールリングを介在させて液密封止している。
【００２２】
しかして、ストレーナー２は、凹陥部２１を排水口１１に嵌入させることにより、展開部２２が凸部２４を介して便器面１０上に支承されている。このストレーナー２の嵌装状態では、展開部２２の凸部２４によって該展開部２２の下面側と便器面１０底部との間に流出間隙ｇ２が確保され、また凹陥部２１の外周の凸部２３によって該凹陥部２１の外周面と排水口１１（排水アダプター１３）の内周面との間に流出間隙ｇ３が確保されるようになっている。
【００２３】
なお、ストレーナー２は、円筒状の凹陥部２１が円形の展開部２２に対して偏心しており、該展開部２２の幅広側が便器面１０の奥側に向くように配置している。また，便器面１０の底部には該ストレーナー２に対応する円形の凹面部１０ｂが形成されており、該凹面部１０ｂにストレーナー２が嵌まり込んだ状態で、展開部２２の外周縁が該凹面部１０ｂの上周縁とほぼ同高さになって、且つ便器面１０との間に溢流間隙ｇ４を形成するように寸法設定されている。
【００２４】
目皿３は、上面側が略凸球面をなす略円板状に形成されており、その中央に円形の開口部３１を有すると共に、下面側に複数本（図では４本）の棒状脚片３２が周方向に等配して垂設されている。そして、該目皿３を棒状脚片３２を介してストレーナー２の展開部２２上に載せることにより、その外周縁とストレーナー２の展開部２２の外周縁との間に流出入間隙ｇ１（図１参照）が構成されるように寸法設定されている。
【００２５】
ここで、流出入間隙ｇ１は１〜５ｍｍ程度、流出間隙ｇ２，ｇ３は０．５〜２ｍｍ程度、溢流間隙ｇ４は０．５〜２ｍｍ程度、がそれぞれ好適である。また、ストレーナー２の通水孔２０は径０．５〜２ｍｍ程度とするのがよい。更に、目皿３の開口部３１としては、径２０〜５０ｍｍが好適である。
【００２６】
上記構成の男性用水洗トイレでは、便器面１０を流下した小水Ｕ及び洗浄水Ｗは、主としてストレーナー２の外周縁と目皿３の外周縁との間の流出入間隙ｇ１から該ストレーナー２上へ流入し、混入していた体毛、痰、吸殻、尿石等の異物が該ストレーナー２に漉し取られ、液体だけが該ストレーナー２から流出し、流出間隙ｇ２，ｇ３を通って排水口１１より流下して排出される。しかして、ストレーナー２は、凹陥部２１の周囲に張出する展開部２２によって広い漉し取り面積を有する上、展開部２２の外周部が立ち上げ縁部２２ａをなすから、全体が目詰まりするまでに大量の異物を捕獲できる。しかも、ストレーナー２の全体が目詰まりして漉し取り不能になることがあっても、流入する小水Ｕ及び洗浄水Ｗを展開部２２の外周縁から溢流間隙ｇ４へオーバーフローさせて排水口１１より排出できる。
【００２７】
従って、この男性用水洗トイレにおいては、使用頻度が高い場合でも、長時間にわたって排水の詰まりを防止でき、ストレーナー２に集積した異物を例えば１日１回程度の割合で除去するだけで済む上、その除去作業も清掃時にストレーナー２ごと取り出す形で簡単に行うことができる。また、このように排水口１１に嵌装したストレーナー２によって異物を効率よく大量に捕獲できるから、後述するように洗浄水循環部での異物混入に起因したトラブルも抑止される。
【００２８】
なお、目皿３の中央に開口部３１を有することで、使用者が心理的に該開口部３１へ向けて放尿することが多くなり、これによって便器外への尿滴の跳ね返りが少なくなるから、便器周辺の濡れ汚れが減って清掃の労力軽減に繋がるという利点がある。
【００２９】
この男性用水洗トイレの洗浄水循環機構の一例を図４に示す。この洗浄水循環機構Ｓでは、排水口１１の直下の切換弁ユニット４により、排水流路を排水管１２側と洗浄水貯留タンクＴ１への回収流路Ｌ１側とに切換え可能になっている。そして、洗浄水貯留タンクＴ１内の洗浄水Ｗは、循環ポンプＰ１によって循環流路Ｌ２を通して上位のサブタンクＴ２へ送り込まれ、更に該サブタンクＴ２から吐出ポンプＰ２によって循環流路Ｌ３を通して洗浄ノズル６へ送られ、該洗浄ノズル６から便器面１０へ吐出される。
【００３０】
なお、サブタンクＴ２には、底部より開閉弁Ｖ１を介して垂下するドレイン流路Ｌ４と、余剰の洗浄水Ｗを溢流させるオーバーフロー流路Ｌ５とが接続されており、両流路Ｌ４，Ｌ５からの洗浄水Ｗが洗浄水貯留タンクＴ１内へ排出される。また、洗浄水貯留タンクＴ１には、その底部から開閉弁Ｖ２を介して排水管１２に繋がるドレイン流路Ｌ６が接続されている。更に、洗浄水貯留タンクＴ１上には、水道管（図示省略）から開閉弁Ｖ３を介して新しい洗浄水Ｗを供給する給水路Ｌ７の出口と、薬液タンクＴ３からの薬液Ｄを開閉弁Ｖ４を介して供給する薬液供給路Ｌ８の出口とが配置している。そして、洗浄水貯留タンクＴ１内にはフロートスイッチＦが設けてあり、貯留している洗浄水Ｗが補給を要する量まで減少した際に、それを該フロートスイッチＦが液面レベルより検出し、給水路Ｌ７及び薬液供給路Ｌ８の開閉弁Ｖ３，Ｖ４を所定時間だけ開作動させる。なお、サブタンクＴ２を設置しない場合は、代わりに逆止弁を設けて洗浄水の逆流を防止することが望ましい。
【００３１】
この洗浄水循環機構Ｓが例えば２段洗浄方式に設定されている場合、待機状態では排水口１１からの排水流路が排水管１２側に繋がっており、利用者が便器面１０の前に立ったことを人体検知手段５にて検出すると、その時点もしくは利用者が排尿後に離れた直後に、初期洗浄として洗浄ノズル６から少量（例えば１５０ｍｌ程度）の洗浄水Ｗが吐出され、その初期洗浄の洗浄水Ｗと小水Ｕが排水管１２へ排出される。次いで、利用者が離れてから一定時間後（例えば８秒後）、切換弁ユニット４が排水流路を回収流路Ｌ１側に切換えると共に、本洗浄として洗浄ノズル６から比較的多量（例えば１０００ｍｌ程度）の洗浄水Ｗが流され、この本洗浄の洗浄水Ｗが回収流路Ｌ６より洗浄水貯留タンクＴ１へ導かれて回収される。しかして、回収される洗浄水は排水口１１に嵌装したストレーナー２によって異物が除去されているから、その異物混入に起因したトラブル、例えば循環ポンプＰ１及び吐出ポンプＰ２の作動不良や作動停止、洗浄ノズル６や流路Ｌ１〜Ｌ３の配管中での詰まり、フロートスイッチＦの作動不良等を生じにくくなる。
【００３２】
ストレーナー２としては、実施形態では展開部２２が平面視円形のものを例示したが、該展開部２２は便器面１０の仕様に応じて楕円形や角形等の様々な形状を採用でき、通水孔２０の孔形状及び配列、凸部２３，２４の形状及び数、把手２５の形状等についても実施形態以外に種々設定できる。一方、目皿３としては、ストレーナー２の外周縁との間で流出入間隙ｇ１を構成し得る外周縁形状とする必要はあるが、実施形態で例示した形態に限らず、例えば、開口部３１の代わりに放射状配置した複数のスリット状通水孔や全体に分散配置した複数の円形通水孔等を有するもの、棒状脚片３２に代えて周縁に複数の突起を設けたもの、着脱を容易にするための摘みや吊持環を付設したもの等も使用できる。また、ストレーナー２及び目皿３の材質は、特に制約されないが、ストレーナー２が展開部２２の存在によって大きいサイズになり、これに対応して目皿３のサイズも大きくなるから、実施形態のように合成樹脂製とすれば軽量で取扱いが容易になる。
【００３３】
なお、本発明の男性用水洗トイレは、洗浄水循環機構Ｓとして図４で例示した以外の様々な機構を採用できると共に、該洗浄水循環機構Ｓを持たないものも包含する。その他、本発明においては、便器本体１の構造、便器面１０の形状、排水口１１の構造、切換弁ユニット４の切換機構、人体検知手段５及び洗浄ノズル６の位置等、細部構成については実施形態以外に種々設計変更可能である。
【符号の説明】
【００３４】
１          便器本体
１０        便器面
１１        排水口
２          ストレーナー
２１        凹陥部
２２        展開部
２２ａ      立ち上げ縁部
２３，２４  凸部
３          目皿
３１        開口部
ｇ１        流出入間隙
ｇ２，ｇ３  流出間隙
ｇ４        溢流間隙
Ｓ          洗浄水循環機構
Ｗ          洗浄水
【図１】
2014070375.tif 000003
【図２】
2014070375.tif 000004
【図３】
2014070375.tif 000005
【図４】
2014070375.tif 000006